(57)【要約】      （修正有）【課題】安定的に自立でき、しかも取扱い、携帯が容易で、内部に収容した薬剤、飲用剤等を簡易な手段で清潔に保持できる薬用・飲用剤付きコップを提供する。【解決手段】自立に必要な底面２とその周囲に連接した側面３とを有する折り畳み可能な紙またはプラスチックからなる非通液シート製のコップ本体１を備える。コップ本体１における底面２の内側に、湯水に溶出する薬用・飲用剤５を配設して、その上を通液性耐水シート６で被覆し、コップ本体１の側面３を内側に折り畳んで上記通液性耐水シート６を被包させる。【選択図】図２
0003152215.tif 000002
【実用新案登録請求の範囲】
【請求項１】
自立に必要な底面とその周囲に連接した側面とを有する折り畳み可能な紙またはプラスチックからなる非通液シート製のコップ本体を備え、上記コップ本体における上記底面の内側に、湯水に溶出する薬用・飲用剤を配設して、その上を通液性耐水シートで被覆し、
上記コップ本体の側面を内側に折り畳んで上記通液性耐水シートを被包させた、
ことを特徴とする薬用・飲用剤付きコップ。
【請求項２】
上記非通液シートからなるコップ本体を、その側面を内側に折り畳んだときに、その折り畳み状態に保持される紙によって形成した、
ことを特徴とする請求項１に記載の薬用・飲用剤付きコップ。
【請求項３】
上記非通液シートからなるコップ本体を、その側面を内側に折り畳んだうえで粘着性シールによってその折り畳み状態を保持させるプラスチックシートにより構成し、
上記プラスチックからなる非通液シートに、上記粘着性シールの離脱時にコップ本体が上記折り畳み前の状態に復帰する弾性的復帰力を付与した、
ことを特徴とする請求項１に記載の薬用・飲用剤付きコップ。
【請求項４】
上記コップ本体における側面の内側への折り畳みが、側面の一部を底面との間の屈曲部において内側に折り込み、次に、その折り込み部分の左右を順次内側に折り重ね、残る側面は、必要に応じて内側または外側に折ってコップ本体を平面薄板状に扁平化した、
ことを特徴とする請求項１〜３のいずれかに記載の薬用・飲用剤付きコップ。
【請求項５】
コップ本体の側面の高さが、側面の一部を底面との間の屈曲部において内側に折り込んだときに、その側面の上端が対向する側面に接しない高さである、
ことを特徴とする請求項４に記載の薬用・飲用剤付きコップ。
【請求項６】
上記コップ本体の底面が矩形または正方形状をなし、該コップ本体における側面の内側への折り畳みが、一対の対向する側面の中央を外側または内側に折ったうえで、他の対向する側面を、底面の略中央において衝合するように内側に折り込み、次に、その衝合部分を上記底面に平行に折り畳むことによりコップ本体を扁平化した、
ことを特徴とする請求項１〜３のいずれかに記載の薬用・飲用剤付きコップ。
【請求項７】
上記薬用・飲用剤が、粉、顆粒、固形、若しくはゲル状の薬剤、飲用剤、若しくは茶葉類である、
ことを特徴とする請求項１〜６のいずれかに記載の薬用・飲用剤付きコップ。
【考案の詳細な説明】
【技術分野】
【０００１】
本考案は、携帯、使用に便ならしめた薬用・飲用剤付きコップに関するものである。
【背景技術】
【０００２】
従来、例えば特許文献１〜３に開示されているように、内部にうがい薬や飲用剤等を付けたコップは知られているが、コップを折り畳んで携帯を容易にすることを主眼にしているため、安定的に自立させるのが困難なものが通例である。而して、安定的に自立でき、しかも取扱い、携帯が容易で、内部に収容した薬剤、飲用剤等を簡易な手段で清潔に保持できるようにしたものは見当たらない。
【先行技術文献】
【特許文献】
【０００３】
【特許文献１】登実第３０２４６４３号公報
【特許文献２】特開平１０−１８１７８０号公報
【特許文献３】実開平３−１２６１３７号公報
【考案の概要】
【考案が解決しようとする課題】
【０００４】
本考案の技術的課題は、安定的に自立でき、しかも取扱い、携帯が容易で、内部に収容した薬剤、飲用剤等を簡易な手段で清潔に保持できるようにした薬用・飲用剤付きコップを提供することにある。
【課題を解決するための手段】
【０００５】
上述の課題を解決するため、本考案によれば、自立に必要な底面とその周囲に連接した側面とを有する折り畳み可能な紙またはプラスチックからなる非通液シート製のコップ本体を備え、上記コップ本体における上記底面の内側に、湯水に溶出する薬用・飲用剤を配設して、その上を通液性耐水シートで被覆し、上記コップ本体の側面を内側に折り畳んで上記通液性耐水シートを被包させたことを特徴とする薬用・飲用剤付きコップが提供される。
【０００６】
本考案に係る薬用・飲用剤付きコップの好ましい実施形態においては、上記非通液シートからなるコップ本体を、その側面を内側に折り畳んだときに、その折り畳み状態に保持される紙によって形成され、あるいは、上記非通液シートからなるコップ本体を、その側面を内側に折り畳んだうえで粘着性シールによってその折り畳み状態を保持させるプラスチックシートにより構成し、上記プラスチックからなる非通液シートに、上記粘着性シールの離脱時にコップ本体が上記折り畳み前の状態に復帰する弾性的復帰力を付与したものとして構成される。
【０００７】
本考案の好ましい実施形態においては、上記コップ本体における側面の内側への折り畳みが、側面の一部を底面との間の屈曲部において内側に折り込み、次に、その折り込み部分の左右を順次内側に折り重ね、残る側面は、必要に応じて内側または外側に折ってコップ本体を平面薄板状に扁平化したものとして構成される。この場合、コップ本体の側面の高さが、側面の一部を底面との間の屈曲部において内側に折り込んだときに、その側面の上端が対向する側面に接しない高さであることが望ましい。
【０００８】
また、本考案の他の好ましい実施形態においては、上記コップ本体の底面が矩形または正方形状をなし、該コップ本体における側面の内側への折り畳みが、一対の対向する側面の中央を外側または内側に折ったうえで、他の対向する側面を、底面の略中央において衝合するように内側に折り込み、次に、その衝合部分を上記底面に平行に折り畳むことによりコップ本体を扁平化したものとして構成される。
【０００９】
本考案の好ましい実施形態においては、上記薬用・飲用剤として、粉、顆粒、固形、若しくはゲル状の薬剤、飲用剤、若しくは茶葉類が用いられるが、これらに限るものではない。
【考案の効果】
【００１０】
以上に詳述した本考案の薬用・飲用剤付きコップによれば、それを折り畳みにより扁平化しているが、自立に必要な底面があるので、コップの姿勢が安定的で、コップの中に湯水を注いでもこぼれることがない。また、コップ本体の内部に薬用・飲用剤を配設して通液性耐水シートで被覆しているが、その配設位置が底面の内側であって注入する湯水が直接当たる位置にあるので、薬用・飲用剤成分を容易に溶出させることができる。さらに、コップ本体を内側に折り込んでその内底に収容した薬用・飲用剤を覆うようにしているので、コップ本体の嵩を小さくすると同時に、該コップ本体の一部を薬用・飲用剤の包装に利用でき、それらを清潔に保持することができる。
【図面の簡単な説明】
【００１１】
【図１】本考案の第１実施例に係る薬用・飲用剤付きコップの使用状態の外観を示す斜視図である。
【図２】同実施例の中央部を断面によって示す斜視図である。
【図３】同実施例に係る薬用・飲用剤付きコップにおいて、コップ本体の側面の一部を内側に折り込んだ状態を示す斜視図である。
【図４】図３における折り込み部分の左右を順次内側に折り重ねた状態を示す斜視図である。
【図５】本考案の第２実施例に係る薬用・飲用剤付きコップの使用状態の外観を示す斜視図である。
【図６】同コップ本体を折り畳む中間段階を示す斜視図である。
【図７】同コップ本体を折り畳んで扁平化する状態を示す斜視図である。
【考案を実施するための形態】
【００１２】
図１〜図４は、本考案に係る薬用・飲用剤付きコップの第１実施例を示している。この薬用・飲用剤付きコップは、主として外出時にのどの渇きを潤したり、うがいをしたり、薬剤を飲んだりするために好適に使用できるもので、折り畳んで携帯できるにも拘わらず安定的に自立できるようにして、携帯や取扱いを便利にしたものであり、しかも、内部に収容した薬剤、飲用剤等を簡易な手段で清潔に保持できるように構成している。
【００１３】
その構成について具体的に説明すると、上記薬用・飲用剤付きコップは、基本的には、自立に必要な底面２とその周囲に連接した側面３とを有する折り畳み可能な紙またはプラスチックからなる非通液シート製のコップ本体１を備え、図２に示すように、該コップ本体１における上記底面２の内側に、湯水に溶出する薬用・飲用剤５を配設して、その上を通液性耐水シート６で被覆することにより構成され、このコップ本体１を折り畳んで携帯を容易にしたものである。
【００１４】
上記薬用・飲用剤５としては、粉、顆粒、固形、若しくはゲル状で湯水に溶解または溶出する薬剤や各種飲用剤、若しくは各種茶葉類を用いることができる。
また、上記薬用・飲用剤５の上を被覆する通液性耐水シート６としては、和紙や不織布、ネット状シート、あるいは、一般にティーバッグにおける茶葉の収容に使用されているような、通液性に富む耐水性のシートを用いることができる。この通液性耐水シート６のコップ本体底面２への固定は、図２に示すように、その周辺部６ａをコップ本体１の底部に接着や圧嵌等により固定し、あるいは、上記通液性耐水シートとは別体の押さえ枠等を用いて固定したり、上記薬用・飲用剤５を収容した通液性耐水シート６からなる袋をコップ本体の底面２に接着して固定することもできる。
【００１５】
上記コップ本体１は、携帯や販売のための流通に便ならしめるため、図３及び図４に例示するように、側面３を内側に折り畳んで嵩を小さくするが、その折り畳みは、基本的には、コップ本体１の側面３を内側に折り畳んで底面２上の通液性耐水シート６を該側面で被包させ、それによってコップ本体１の一部を薬用・飲用剤５の包装に利用すると共に、それらの薬用・飲用剤５等を清潔に保持するものである。
【００１６】
更に具体的に説明すると、この第１実施例における上記コップ本体１の側面３の内側への折り畳みは、図３に例示するように、側面３の一部３ａを底面２との間の屈曲部７において内側に折り込み、次に、図４に示すように、その折り込み部分の左右を順次矢印Ａ，Ｂに示すように内側に折り重ね、残る側面３ｂは、必要に応じて、矢印Ｃで示すように内側に、あるいは矢印Ｄで示すようには外側に折って、コップ本体１を平面薄板状に扁平化するようにしている。
なお、図４中の符号８は、この折り畳み状態を保持させるための粘着シートの貼着位置を示している。
【００１７】
このようなコップ本体の側面３の折り畳みを行う場合、側面３の高さは、図３に示すように、該側面３の一部３ａを底面２との間の屈曲部７において内側に折り込んだときに、その折り込み部分の上端が対向する側面３に接しない高さであることが、折り畳みを容易にするという観点から望まれる。
【００１８】
一方、図５〜図７に示す第２実施例では、コップ本体１１の底面１２が矩形または正方形状をなし、該コップ本体１１における側面１３の折り畳みが、一対の対向する側面１３ａ，１３ａの中央の折り目線１４を外側または内側に折ったうえで、他の対向する側面１３ｂ、１３ｂを、図６に示すように、底面１２の略中央１２ａにおいて衝合するように内側に折り込み、次に、図７に示すように、その衝合部分が上記底面１２と平行になるように折り畳むことにより、コップ本体１１を扁平化している。
【００１９】
なお、図７に示すように、上記側面１３ａ，１３ａが外側に張り出すように折り畳んだ場合には、その側面１３ａ，１３ａの張り出し部分を矢印Ｅで示すように内側に折り込むこともできる。また、上述したように、図５の状態で側面１３ａ，１３ａを中央の折り目線１４で内側に折り込んだ状態にできるのは勿論である。
この第２実施例におけるその他の構成及び作用は、上記折り畳み態様を除いて、実質的に第１実施例のそれと同一であるから、それらの説明は省略する。
【００２０】
上記第１及び第２実施例において、コップ本体１，１１を構成する非通液シートとしては、コップ本体１，１１の側面３，１３を、図４または図７に示すように折り畳んだときに、その折り畳み状態に保持されるような紙質の紙によって形成するのが望ましいが、粘着性シールを貼着することによりその状態を保持させることもできる。
【００２１】
また、コップ本体１，１１を構成する非通液シートを、折り畳んだコップ本体１，１１の拘束を解いたときに折り畳み前の状態に復帰する弾性的復帰力が付与されたプラスチックシートにより形成し、コップ本体の側面３，１３を内側に折り畳んだうえで粘着性シールによってその折り畳み状態を保持させたものの上記粘着性シールを離脱させたとき、コップ本体１，１１がその弾性的復帰力により上記折り畳み前の状態に自動復帰するように構成することもできる。
【００２２】
上記構成を有する薬用・飲用剤付きコップによれば、それを折り畳みにより扁平化しているが、自立に必要な底面２，１２があるので、コップの姿勢が安定的で、コップの中に湯水を注いでもこぼれることがなく、また、コップ本体１，１１の内部に薬用・飲用剤５を配設して通液性耐水シート６で被覆しているが、その配設位置が底面２，１２の内側であって注入する湯水が直接当たる位置にあるので、薬用・飲用剤成分を容易に溶出させることができる。さらに、コップ本体１，１１を内側に折り込んでその内底に収容した薬用・飲用剤５を覆うようにしているので、コップ本体１，１１の嵩を小さくすると同時に、該コップ本体の一部を薬用・飲用剤５の包装に利用でき、それらを清潔に保持することができる。
【符号の説明】
【００２３】
１，１１    コップ本体
２，１２    底面
３，１３    側面
５    薬用・飲用剤
６    通液性耐水シート
【図１】
0003152215.tif 000003
【図２】
0003152215.tif 000004
【図３】
0003152215.tif 000005
【図４】
0003152215.tif 000006
【図５】
0003152215.tif 000007
【図６】
0003152215.tif 000008
【図７】
0003152215.tif 000009